(57)【要約】【課題】部品点数を削減でき外部接続部の固定強度が高められるようにした外部接続端子及びこれを用いた携帯電子機器を提供する。【解決手段】異なる外形状を有する複数の外部接続部１５，１６を並設して樹脂モールド１８により一体的に形成した外部接続端子１７とする。【選択図】図３
2006019037.tif 000002
【特許請求の範囲】
【請求項１】
異なる外形状を有する複数の外部接続部を並設して樹脂モールドにより一体的に形成してあることを特徴とする外部接続端子。
【請求項２】
請求項１に記載の外部接続端子が実装された回路基板を、フロントケースとリアケースを嵌め合わせて構成した筐体内に備えると共に、前記外部接続端子が前記フロントケースと前記リアケースにより挾持されていることを特徴とする携帯電子機器。
【発明の詳細な説明】
【技術分野】
【０００１】
本発明は、外部接続部の取り付け強度が高められるようにした外部接続端子及びこれを用いた携帯電子機器に関するものである。
【背景技術】
【０００２】
携帯電話機等の携帯電子機器には操作性、携帯性等が求められ、小型で洋服のポケットなどにも収納し易い形状のものが要求されている。このような携帯性及び操作性が考慮された携帯電話機には、受話側筐体と送話側筐体とがヒンジ部を介して回動自在に連結された開閉自在の折り畳み式携帯電話機が実用化されている。
【０００３】
図７は上記折り畳み式携帯電話機の一例を示すもので、１は音声を出力するスピーカ部３を備えた受話側筐体、２は音声を入力するマイク部４を備えた送話側筐体、５は受話側筐体１と送話側筐体２とを回動自在に連結するヒンジ部であり、送話側筐体２のヒンジ部５側端部には図示しない無線通信用のアンテナが備えられている。図７中、２１は表示部、２２は操作部を示す。
【０００４】
更に、前記送話側筐体２における反ヒンジ部５側の端部には、図示しないコネクタを接続することによりデータ情報を外部に取り出せるコネクタ受部としての外部接続部６が設けられ、又、前記送話側筐体２の側部には、図示しない例えばイヤホンや外付けカメラ等のピンを挿入するためのジャックとしての外部接続部７が設けられている。図７中、２４は前記コネクタ受部としての外部接続部６に対して水の浸入等を防止するために設けられるキャップ、２５は前記ジャックとしての外部接続部７に対して水の浸入等を防止するために設けられるキャップである。
【０００５】
ところで、コネクタ受部としての外部接続部６及びジャックとしての外部接続部７は、図８に示すように夫々に備えられた端子片６ａ，７ａを回路基板８に半田接合することによって回路基板８に実装されている。そして、前記回路基板８は、送話側筐体２を構成するフロントケース２ａとリアケース２ｂとを組み立てる際に内部に収容されて固定されるようになっている。なお、９は半田接合部である。又、コネクタ受部としての外部接続部６は、図８、図９に示す如く、コネクタを接続するための略長方形の開口１０を備え、樹脂モールド１１により一体的に形成されており、又、ジャックとしての外部接続部７は、図８、図１０に示す如く、ピンを接続する円形の開口１２を備え、樹脂モールド１３により一体的に形成されている。
【０００６】
特許文献１には、送話側筐体の端部にコネクタ受部としての外部接続部が設けられ、送話側筐体の側部にジャックとしての外部接続部が設けたられた折り畳み式携帯無線機が記載されている。
【特許文献１】特開２００３−１０１６２３号公報
【発明の開示】
【発明が解決しようとする課題】
【０００７】
しかし、従来の携帯電子機器に別個に備えられているコネクタ受部としての外部接続部６及びジャックとしての外部接続部７は小さい部品であり、回路基板８に対して端子片６ａ，７ａを半田接合で固定した接合面積も小さく、よって携帯電子機器の落下等によって衝撃が加わった際に、回路基板８から外部接続部６，７が剥離してしまうという課題を有していた。特に、ジャックとしての外部接続部７は小さい形状を有しているため、図８に示すように落下などによるＡ方向の正面からの力、及びＢ方向の横からの力に対して弱いという課題を有していた。
【０００８】
又、前記したようにコネクタ受部としての外部接続部６とジャックとしての外部接続部７の夫々を別個に備えた構成では、外部接続部６，７に対して水の浸入等を防止するために各々にキャップ２４，２５を設ける必要があり、このために部品点数が更に増加するという問題がある。
【０００９】
更に、図７に示す送話側筐体２の側面に設けているジャックとしての外部接続部７にＬ字状をしたピン接続部を挿入して携帯電子機器をポケットなどに入れて用いる場合には、ピン接続部が外部接続部７の側方に突出しているために、携帯電子機器の出し入れの際にピン接続部がポケット等に引っ掛かり易いという問題があった。
【００１０】
本発明は、部品点数を削減でき外部接続部の固定強度が高められるようにした外部接続端子及びこれを用いた携帯電子機器を提供することを目的としてなしたものである。
【課題を解決するための手段】
【００１１】
本発明は、上記課題を解決するためになしたもので、異なる外形状を有する複数の外部接続部を並設して樹脂モールドにより一体的に形成して外部接続端子を構成したことを特徴とする。
【００１２】
又、前記外部接続端子が実装された回路基板を、フロントケースとリアケースを嵌め合わせて構成した筐体内に備えると共に、前記外部接続端子が前記フロントケースと前記リアケースにより挾持されるようにして携帯電子機器を構成したことを特徴とする。
【発明の効果】
【００１３】
本発明によれば、外部接続部の部品点数を削減でき、且つ外部接続端子の固定強度を大幅に高められる効果がある。
【発明を実施するための最良の形態】
【００１４】
以下、本発明の実施の形態を添付図面を参照して説明する。
【００１５】
図１〜図３は本発明の実施の形態を示すもので、図１は折り畳み式携帯電話機の全体斜視図、図２は回路基板に固定した外部接続端子の構成を示す斜視図、図３は図１における外部接続端子の正面図である。尚、図１〜３において、前記図７〜図１０に示したものと同一の構成部分には同じ符号を付す。
【００１６】
図１、図２に示す折り畳み式携帯電話機は、音声を出力するスピーカ部３を備えた受話側筐体１と、音声を入力するマイク部４を備えた送話側筐体２とがヒンジ部５により回動自在に連結されており、送話側筐体２のヒンジ部５側端部には図示しない無線通信用のアンテナが備えられている。図１中、２１は表示部、２２は操作部である。
【００１７】
前記折り畳み式携帯電話機の送話側筐体２における反ヒンジ部５側の端部には開口部２０が設けてあり、該開口部２０内に、コネクタ受部としての外部接続部１５とジャックとしての外部接続部１６とを一体に備えた外部接続端子１７を配置している。前記外部接続端子１７は、略長方形の開口１０を備えた長方形の外部接続部１５の長手方向端部に、円形の開口１２を備えた外部接続部１６が並設され、樹脂モールド１８によって一体的に形成されている。即ち、図１〜図３の形態では、一方の外部接続部１６の外形が他方の外部接続部１５の外形の長手方向側部に突出した形状となっている。又、図３では一方の外部接続部１６を他方の外部接続部１５の左側に配した場合を図示したが、一方の外部接続部１６を他方の外部接続部１５の右側に配するようにしてもよい。
【００１８】
前記外部接続端子１７は、図２に示す如く、外部接続部１５の端子片１５ａが回路基板８に半田接合にて固定され、更に、外部接続部１６の端子片１６ａが回路基板８に半田接合にて固定されており、且つ、前記外部接続部１６から導出される端子片１６ａの一部が樹脂モールド１８の外面に設けた引き回し溝１９を通して回路基板８に半田接合にて固定されている。
【００１９】
従って、前記外部接続端子１７は、外部接続部１５の端子片１５ａと、外部接続部１６の端子片１６ａの両方によって回路基板８に高い強度で固定されるようになる。
【００２０】
又、前記外部接続端子１７は、図３に示す如く、送話側筐体２を構成するフロントケース２ａとリアケース２ｂを嵌め合わせて前記回路基板８を送話側筐体２に一体化して図１の折り畳み式携帯電話機を組み立てる際、前記外部接続端子１７がフロントケース２ａとリアケース２ｂの開口部２０に挾持されて保持されるようになっている。このとき、外部接続端子１７は、フロントケース２ａとリアケース２ｂとの境界線Ｓを横切るように設けてあるので、フロントケース２ａとリアケース２ｂとを嵌め合わせた際に、送話側筐体２に対する外部接続端子１７のＣ方向への移動が拘束されることにより外部接続端子１７の固定強度が高められると同時に、フロントケース２ａとリアケース２ｂのＣ方向の相対移動も外部接続端子１７によって拘束されるようになるので送話側筐体２の組み立て強度も向上する。
【００２１】
以下、図１〜図３に示した形態の作用を説明する。
【００２２】
図１、図２に示した如く、コネクタ受部としての外部接続部１５とジャックとしての外部接続部１６とを樹脂モールド１８により一体に備えた外部接続端子１７は、図２に示す如く、外部接続部１５の端子片１５ａと、外部接続部１６の端子片１６ａとを回路基板８に半田溶接することによって、回路基板８に高い強度で実装される。
【００２３】
そして、外部接続端子１７が実装された回路基板８を収容するように、図３に示すフロントケース２ａとリアケース２ｂを嵌め合わせて折り畳み式携帯電話機の送話側筐体２を組み立てると、前記外部接続端子１７はフロントケース２ａとリアケース２ｂによる開口部２０に挾持されて保持される。
【００２４】
前記したように、コネクタ受部としての外部接続部１５とジャックとしての外部接続部１６とを樹脂モールド１８で一体化させた外部接続端子１７を構成したので、携帯電話機に備える外部接続端子１７の構成を著しく簡略化できる。即ち、例えば図７に示した如く送話側筐体２に、コネクタ受部としての外部接続部６とジャックとしての外部接続部７を別個に設けている従来の構成では、部品点数が増加し、更に組み立て時の作業能率が低下する可能性があり、又、夫々の外部接続部６，７に対して水の浸入等を防止するためのキャップ２４，２５（図７参照）を設ける必要があるために更に部品点数が増加する等の問題点が存在しているのに対し、前記したように一体化した外部接続端子１７の構成によれば外部接続部１５と外部接続部１６を同時に被う１個のキャップ２３を備えるのみでよいため、携帯電話機に備える部品点数を更に減少できる。
【００２５】
更に、外部接続端子１７は、外部接続部１５の端子片１５ａと外部接続部１６の端子片１６ａを回路基板８に半田接合することにより固定されるため、図８に示した如く外部接続部６と外部接続部７が夫々別個に回路基板８に固定される従来装置に比して、外部接続端子１７の固定強度を大幅に高めることができる。従って、前記外部接続端子１７は、図２に示す携帯電子機器の落下などによるＤ方向の正面からの力、及びＥ方向の横からの力に対して高い強度を保持することができる。
【００２６】
又、送話側筐体２の反ヒンジ部５側の端部に前記外部接続端子１７を設けるようにしたので、図７に示す従来装置の如く送話側筐体２の側面に設けた音声用の外部接続部７に挿入するＬ字状のピン接続部が側方に突出するようなことがなく、従って携帯電話機をポケットなどに入れて用いる場合の出し入れの際にピン接続部がポケット等に引っ掛かって使い難いというような問題が生じない。
【００２７】
更に、前記外部接続端子１７は、送話側筐体２を構成するフロントケース２ａとリアケース２ｂを嵌め合わせて前記回路基板８を送話側筐体２に一体化する際、前記外部接続端子１７がフロントケース２ａとリアケース２ｂの開口部２０に挾持されるようにしたので、フロントケース２ａとリアケース２ｂとを嵌め合わせた際に、送話側筐体２に対して外部接続端子１７のＣ方向の移動が拘束されることにより外部接続端子１７の固定強度が高まり、更に、フロントケース２ａとリアケース２ｂのＣ方向の相対移動も外部接続端子１７によって拘束されることにより送話側筐体２の組み立て強度も向上される。
【００２８】
図４は前記図３の形態の変形例を示したもので、一方の外部接続部１６と他方の外部接続部１５を接近させて配置することにより外部接続端子１７を小型の形状とした場合であり、円形の開口１２を有する外部接続部１６の外形が長方形の開口１０を有する外部接続部１５の外形に対して部分的に突出した形状となっている。図４では一方の外部接続部１６の外形が他方の外部接続部１５の右側に突出した場合を図示したが、一方の外部接続部１６の外形が他方の外部接続部１５の左側に突出するようにしてもよい。
【００２９】
図５、図６は前記外部接続端子１７の他の形態を示したもので、この外部接続端子１７は、長方形の開口１０を有する外部接続部１５の長手方向中間部上側に、円形の開口１２を有する外部接続部１６を樹脂モールド１８にて一体的に並設した場合を示している。即ち、図５の形態では、一方の外部接続部１６の外形が他方の外部接続部１５の外形の長手方向中間部上側に突出した形状となっている。又、図５では一方の外部接続部１６の外形が他方の外部接続部１５の上側に突出した場合を図示したが、一方の外部接続部１６の外形が他方の外部接続部１５の下側に突出するようにしてもよい。
【００３０】
この形態では、図６に示す如く、前記外部接続部１５の端子片１５ａが回路基板８に半田接合されると共に、前記外部接続部１６から導出した複数の端子片１６ａの夫々を樹脂モールド１８の左右の外面に設けた複数の引き回し溝１９を通して前記回路基板８に半田接合される。
【００３１】
図５、図６の形態によれば、外部接続端子１７が外部接続部１５の端子片１５ａと、外部接続部１６の端子片１６ａの両方にて固定されると共に、外部接続部１６の端子片１６ａが樹脂モールド１８の左右外面に沿って樹脂モールド１８を包むように配置されるので、この端子片１６ａによって回路基板８に対する外部接続端子１７の固定強度が更に高められるようになる。
【００３２】
又、このとき、リアケース２ｂ側に位置する外部接続部１５に対して外部接続部１６がフロントケース２ａ側に突出した形状となっているので、フロントケース２ａとリアケース２ｂとを嵌め合わせた際における送話側筐体２に対する外部接続端子１７のＣ方向への移動の拘束力が高まり、又、外部接続端子１７とフロントケース２ａ及びリアケース２ｂとが一体化され、且つフロントケース２ａとリアケース２ｂのＣ方向の相対移動の拘束力も高まるので、送話側筐体２の組み立て強度が向上される。
【００３３】
尚、上記形態では折り畳み式携帯電話機に適用した場合について説明したが、一体型の携帯電話機或いは携帯電話機以外の種々の携帯電子機器にも採用できることは勿論であり、又、その他本発明の要旨を逸脱しない範囲内において種々変更を加え得ることも勿論である。
【図面の簡単な説明】
【００３４】
【図１】本発明を適用した折り畳み式携帯電話機の全体斜視図である。
【図２】回路基板に固定した外部接続端子の構成を示す斜視図である。
【図３】図１における外部接続端子の正面図である。
【図４】図３の形態の変形例を示す正面図である。
【図５】外部接続端子の他の形態を示す正面図である。
【図６】図５の外部接続端子の背面斜視図である。
【図７】従来の折り畳み式携帯電話機の一例を示す斜視図である。
【図８】回路基板に固定した従来の外部接続端子の構成を示す斜視図である。
【図９】従来のコネクタ受部としての外部接続部の正面図である。
【図１０】従来のジャックとしての外部接続部の正面図である。
【符号の説明】
【００３５】
１  受話側筐体
２  送話側筐体
２ａ        フロントケース
２ｂ        リアケース
８  回路基板
１５  外部接続部
１６  外部接続部
１７  外部接続端子
１８  樹脂モールド
【図１】
2006019037.tif 000003
【図２】
2006019037.tif 000004
【図３】
2006019037.tif 000005
【図４】
2006019037.tif 000006
【図５】
2006019037.tif 000007
【図６】
2006019037.tif 000008
【図７】
2006019037.tif 000009
【図８】
2006019037.tif 000010
【図９】
2006019037.tif 000011
【図１０】
2006019037.tif 000012